(57)【要約】  本発明は、通信システムにおける交換エンティティであって、通信システムで通信リンクを確立するリクエストを提起する端末の特性情報を取得し、取得した特性情報に基づき、フィードバック信号が端末に到達することを防いでいる間に通信リンクの確立を開始することを特徴とする。
2015506613.tif 000002
【特許請求の範囲】
【請求項１】
通信システムにおける交換エンティティであって、
前記通信システムにおいて通信リンクを確立するリクエストを提起する端末の特性情報を取得する手段と、
前記取得した特性情報に基づき、前記端末にフィードバック信号が到達することを防いでいる間に、前記通信リンクの確立を開始する手段と
を備えることを特徴とする交換エンティティ。
【請求項２】
前記通信リンクは、前記リクエストを提起した前記端末と、着呼側端末との間の呼接続であることを特徴とする請求項１に記載の交換エンティティ。
【請求項３】
前記フィードバック信号は、着呼側端末が端末のユーザーを呼び出していることを示す信号であることを特徴とする請求項２に記載の交換エンティティ。
【請求項４】
前記フィードバック信号は、前記通信リンクの確立の処理状態を示す信号であることを特徴とする請求項１乃至３の何れか１項に記載の交換エンティティ。
【請求項５】
前記取得した特性情報は、前記リクエストを提起した後で前記通信リンクが確立される前に、前記端末が前記通信リンクの確立を前もって中断したことを示す情報であることを特徴とする請求項１乃至４の何れか１項に記載の交換エンティティ。
【請求項６】
前記フィードバック信号が前記端末に到達することを防ぐ場合に、前記端末に代替信号を送信する手段をさらに備えることを特徴とする請求項１乃至５の何れか１項に記載の交換エンティティ。
【請求項７】
前記代替信号は、音声メッセージ信号、サウンド信号、及びノイズ信号のいずれか１つを含むことを特徴とする請求項６に記載の交換エンティティ。
【請求項８】
前記交換エンティティは、セルラー通信ネットワークのモバイル交換センターであることを特徴とする請求項１乃至７の何れか１項に記載の交換エンティティ。
【請求項９】
通信システムにおけるネットワークエンティティであって、
前記通信システムの複数の端末のそれぞれに対して、未確立通信リンクの情報を含む複数のレコードを収集する手段と、
前記収集された複数のレコードに基づき、前記複数の端末の中から端末を特定する手段と、
前記通信システムに対して、前記特定した端末の特性情報を提供する手段と
を備えることを特徴とするネットワークエンティティ。
【請求項１０】
前記通信リンクは、前記端末と着呼側端末との間の呼接続であることを特徴とする請求項９に記載のネットワークエンティティ。
【請求項１１】
前記端末は、前記収集された複数のレコードに含まれる未確立通信リンクの情報に基づいて特定されることを特徴とする請求項９又は１０に記載のネットワークエンティティ。
【請求項１２】
前記未確立通信リンクの前記情報は、前記通信リンクを確立するリクエストを提起した後で該通信リンクが確立される前に、前記通信リンクの確立を前記端末が中断したことを示す情報であることを特徴とする請求項１１に記載のネットワークエンティティ。
【請求項１３】
前記端末は、前記未確立通信リンクの数が所定の閾値を超える場合に、特定されることを特徴とする請求項１１又は１２に記載のネットワークエンティティ。
【請求項１４】
前記未確立通信リンクの前記情報は、前記リクエストを提起した後から所定の時間内に前記通信リンクの確立を前記端末が中断したことを示す情報であることを特徴とする請求項１１乃至１３の何れか１項に記載のネットワークエンティティ。
【請求項１５】
前記複数の端末のそれぞれに対して、前記リクエストを提起した後から所定の時間内に前記通信リンクの確立を前記端末が中断したことを示す未確立通信リンクの情報に基づき、前記未確立通信リンクの第１の数を決定する手段と、
前記複数の端末のそれぞれに対して、前記リクエストを提起した後に前記通信リンクの確立を前記端末が中断した時間に関わらず、前記未確立通信リンクの総数を決定する手段と、
前記第１の数及び前記総数の割合が所定の閾値を超える場合に前記端末を特定する手段とをさらに備えることを特徴とする請求項１２に記載のネットワークエンティティ。
【請求項１６】
前記通信システムは、セルラーネットワークであることを特徴とする請求項９乃至１５の何れか１項に記載のネットワークエンティティ。
【請求項１７】
請求項１乃至８の何れか１項に記載の交換エンティティと、請求項９乃至１６の何れか１項に記載のネットワークエンティティとを備える通信システム。
【請求項１８】
通信システムにおいて交換エンティティを作動させる方法であって、
通信システムにおいて通信リンクを確立するリクエストを提起する端末の特性情報を取得するステップと、
前記通信リンクの確立を開始するステップと、
前記取得した特性情報に基づき、前記端末にフィードバック信号が到達することを防ぐステップと
を含むことを特徴とする方法。
【請求項１９】
請求項２乃至８の何れか１項に記載の交換エンティティを作動させることを特徴とする請求項１８に記載の方法。
【請求項２０】
請求項１８又は１９に記載の方法の各ステップを実行するためのコードを含み、交換エンティティの処理ユニットにロード可能なコンピュータプログラム。
【請求項２１】
通信システムにおけるネットワークエンティティを作動させる方法であって、
前記通信システムの複数の端末のそれぞれに対して、未確立通信リンクの情報を含む複数のレコードを収集するステップと、
前記収集された複数のレコードに基づき、前記複数の端末の中から端末を特定するステップと、
前記通信システムに対して、前記特定した端末の特性情報を提供するステップと
を含むことを特徴とする方法。
【請求項２２】
請求項１０乃至１６の何れか１項に記載のネットワークエンティティを作動させることを特徴とする請求項２１に記載の方法。
【請求項２３】
請求項２１又は２２に記載の方法の各ステップを実行するためのコードを含み、ネットワークエンティティの処理ユニットにロード可能なコンピュータプログラム。
【請求項２４】
請求項２０又は２３に記載のコンピュータプログラムを格納したコンピュータで読取可能な記憶媒体。
【発明の詳細な説明】
【技術分野】
【０００１】
本発明は、通信システムの交換エンティティ、通信システムのネットワークエンティティ、それらのエンティティを操作するための制御方法、コンピュータプログラム、及び記憶媒体に関連する。より具体的には、本発明は、通信システムにおける通信リンクを確立するリクエストを提起する端末にフィードバック信号が到達することを防ぐものである。
【背景技術】
【０００２】
複数の通信システムが、複数の端末が相互に通信を行うことができるサービスを提供している。特に、音声信号、テキストメッセージ、画像、動画、データ、又はそれらの組み合わせの形式で情報を交換するために異なる複数の端末間で通信リンクが確立されうる。通信リンクの一例は呼接続である。複数の端末間で呼接続が確立されると、それらの端末に関連する複数のユーザーは、互いに会話をすることができる。
【０００３】
複数の呼接続を確立することをサポートする通信システムでは、各端末が関連する交換センターを有する。そのような通信システムの例は、セルラーネットワークや公衆交換電話網（ＰＳＴＮ）がある。セルラーネットワークは、グローバル・システム・フォー・モバイル・コミュニケーションズ（ＧＳＭ）又はロング・ターム・エボリューションズ（ＬＴＥ）に従って動作しうる。呼接続における終点としての２つの端末が１つの交換センターに関連する場合、当該唯一の交換センターが接続を扱う（交換する）。
【０００４】
呼接続の確立は、通常、着呼側の端末番号を呼び出す発呼側端末のユーザーによって開始される。発呼側端末は、いくつかの種類のリクエスト（セットアップメッセージ）をその交換センター（発呼側の交換センター）に送信する。セットアップメッセージは、呼び出される電話番号と、通信システムにおける通信リンクとしての呼接続をセットアップして確立するために必要な他の情報とを含みうる（例えば、３ＧＰＰ技術仕様書”ＴＳ  ２４．００８”を参照）。
【０００５】
その後、発呼側交換センターは、着呼側の電話番号に基づき、着呼側端末と関連する交換センター（着呼側交換センタ）を特定する。さらに、発呼側交換センターは、呼接続を確立するリクエストを着呼側交換センターに通知するメッセージを着呼側交換センターに送信する。当該メッセージは、例えば、発呼側端末の電話番号と、着呼側端末の電話番号とを含む初期アドレスメッセージである。
【０００６】
着呼側交換センターは、着呼側端末が呼接続を確立するのに利用可能であるかどうかを確認するために当該着呼側端末と連絡をとる。着呼側端末が利用可能であれば、当該着呼側端末は聴覚的な、視覚的な、又は触覚的なシグナルを用いて関連するユーザーを呼び出す（alert）。再度、２つの端末、即ち、発呼側端末及び着呼側端末が１つの交換センターに関連付けられる場合、ただ１つの交換センターが発呼側交換センター及び着呼側交換センターの役割を担う。
【０００７】
着呼側端末がユーザーを呼び出すと、着呼側交換センターは、発呼側交換センターに対して、着呼側電話番号が受信され、発呼側端末が呼び出しを行っていることを示す信号を送信する。さらに、当該信号は、可聴の呼び出す音（呼出音）を含んでもよい。着呼側端末が呼び出しを行っていることを示す指標を受信すると、発呼側交換センターは、発呼側端末に、着呼側端末が呼び出しを行っていることを知らせる。これは、呼び出しメッセージを用いて行われてもよい。（例えば、３ＧＰＰ技術仕様書”２４．００８”を参照）。同様に、発呼側端末は、着呼側端末が呼び出しを行っていることをそのユーザーに知らせる。これは、通常、呼出音や発呼側端末のディスプレイ上の視覚的なシグナルをユーザーに提示することによって行われる。
【０００８】
ユーザーは、通信リンクとしての呼接続が確立されていることを呼出音を聞くことによって認識することができる。着呼側交換エンティティは、発呼側交換エンティティ、発呼側端末、及び発呼側端末のユーザーの少なくとも１つに対して、呼接続が確立されていることを通知するためのフィードバック信号のいくつかの種類として上記シグナルを送信する。
【０００９】
当該着呼側端末が応答するとすぐに、通信リンク、即ち、電話通信の場合における呼接続が確立される。具体的には、着呼側端末のユーザーが応答すると、着呼側交換センターは、応答メッセージを発呼側交換センターに送信する。その後、呼接続が会話フェーズに入り、発呼側端末のユーザーと着呼側端末のユーザーとが互いに話をすることができる。通常は、課金の開始はこのタイミングとなる。
【００１０】
しかしながら、通信リンクの確立が当該リンクの確立に先立って中断する場合には、問題がある。電話通信の場合、発呼側端末が着呼側端末と呼通信を確立すべくリクエストを送信し、着呼側端末がユーザを呼び出すものの、着呼側のユーザが当該呼に応答する前に、発呼側端末が呼（通信リンクの確立）を中断する場合に相当する。リンクが確立されないにもかかわらず、ネットワーク資源が使用されてしまう。通常、発呼側の課金は、着呼側が応答して、呼通信又は通信リンクが確立した場合にのみ、開始される。
【００１１】
さらに、近年、これは、通信システム、特に、セルラー、モバイル、又は固定ライン通信ネットワークなどの電話通信サービスを扱うシステムの悪用を招いており、着呼側が呼び出すものの、呼接続が確立され、発呼側が課金される前に、呼が中断される。
【００１２】
その後、着呼側は、コストを考慮することなく、折り返し電話をかけることが多い。発呼側がいわゆるプレミアムサービスの電話番号を送信する場合、着呼側は望まないプレミアムの料金が課金されるリスクを負うことになる。
【００１３】
そのような不在着信、即ち、リンクが確立される前に通信リンクの確立が中断されるまでは、発呼側端末は呼を呼び出しステージ、即ち、着呼側端末が呼び出しを行う時点までは許容されうる。その後、１以上の呼び出しの後、着呼側が応答する前に、発呼側端末が電話を切って、呼を切断する。このような呼の種別を、間違い呼（ｍｉｓｓ  ｃａｌｌ）、又はワンギリ（１−ｒｉｎｇ  ｃａｌｌ：２、３回又はそれ以上持続する場合も含む）と称する。一般的には、確立が開始されるものの早期に中断されるため、これは、未確立通信リンク（ｕｎｅｓｔａｂｌｉｓｈｅｄ  ｃｏｍｍｕｎｉｃａｔｉｏｎ  ｌｉｎｋ）に相当する。
【００１４】
したがって、未確立通信リンクは、オペレーターが何の利得を得ることなくオペレーターの貴重なネットワーク資源及び無線資源を無駄に浪費するだけでなく、ユーザーが高額を課金する電話番号を呼び出したり、プレミアム通信サービスを要求するように不正なインセンティブを得るために使用されうる。
【００１５】
したがって、資源の浪費、不正使用や悪用を回避する通信システムの改善が必要である。
【発明の概要】
【００１６】
したがって、本発明の目的は、間違い呼を阻止し、未確立通信リンクの数を低減することにより、ネットワーク資源及び無線資源を節約することである。特に、本発明の目的は、それぞれの交換エンティティ、ネットワークエンティティ、それらを操作するための方法、コンピュータプログラム、及び記憶媒体を提供することにある。
【００１７】
上記目的は、独立した請求項の構成要件によって達成される。従属請求項の効果的な実施形態について以下で説明する。
【００１８】
本発明の一実施形態によれば、通信システムにおける交換エンティティであって、前記通信システムにおいて通信リンクを確立するリクエストを提起する端末の特性情報を取得する手段と、前記取得した特性情報に基づき、前記端末にフィードバック信号が到達することを防いでいる間に、前記通信リンクの確立を開始する手段とを備えることを特徴とする交換エンティティが提供される。
【００１９】
本発明の他の実施形態によれば、通信システムにおけるネットワークエンティティであって、前記通信システムの複数の端末のそれぞれに対して、未確立通信リンクの情報を含む複数のレコードを収集する手段と、前記収集された複数のレコードに基づき、前記複数の端末の中から端末を特定する手段と、前記通信システムに対して、前記特定した端末の特性情報を提供する手段とを備えることを特徴とするネットワークエンティティが提供される。
【００２０】
本発明の他の実施形態によれば、通信システムにおいて交換エンティティを作動させる方法であって、通信システムにおいて通信リンクを確立するリクエストを提起する端末の特性情報を取得するステップと、前記通信リンクの確立を開始するステップと、前記取得した特性情報に基づき、前記端末にフィードバック信号が到達することを防ぐステップとを含むことを特徴とする方法が提供される。
【００２１】
本発明の他の実施形態によれば、通信システムにおけるネットワークエンティティを作動させる方法であって、前記通信システムの複数の端末のそれぞれに対して、未確立通信リンクの情報を含む複数のレコードを収集するステップと、前記収集された複数のレコードに基づき、前記複数の端末の中から端末を特定するステップと、前記通信システムに対して、前記特定した端末の特性情報を提供するステップとを含むことを特徴とする方法が提供される。
【００２２】
本発明の他の実施形態によれば、本発明の各実施形態に係る交換エンティティと、本発明の各実施形態に係るネットワークエンティティとを備える通信システムが提供される。
【００２３】
本発明の他の実施形態によれば、本発明の方法の各実施形態を実行するためのコードを含み、交換エンティティ又はネットワークエンティティの処理ユニットにロード可能なコンピュータプログラムと、そのようなコンピュータプログラムを格納した記憶媒体とが提供される。
【図面の簡単な説明】
【００２４】
以下では、添付の図面を参照して、本発明の概念をより理解するために、本発明を限定しない複数の実施形態を用いて説明する。
【図１】本発明の一実施形態に係る交換エンティティの概略を示す図である。
【図２】本発明の一実施形態に係る通信ネットワークの概略を示す図である。
【図３】本発明の一実施形態に係る通信ネットワークの概略を示す図である。
【図４Ａ】本発明の一実施形態に係る交換エンティティの概略を示す図である。
【図４Ｂ】本発明の一実施形態に係るネットワークエンティティの概略を示す図である。
【図５】本発明の一実施形態に係る方法を示すフローチャートである。
【図６】本発明の一実施形態に係る他の方法を示すフローチャートである。
【発明を実施するための形態】
【００２５】
図１には、本発明の一実施形態に係る通信システムにおける交換エンティティ１０が示される。通信システムは、例えば、公衆交換電話網（ＰＳＴＮ）又はセルラーネットワークであってもよい。通信システムがＰＳＴＮの場合、交換エンティティ１０は、交換センターとなりうる。通信システムがセルラーネットワークの場合は、交換エンティティ１０は、モバイル交換センター（ＭＳＣ）となりうる。
【００２６】
交換エンティティ１０は、通信システムを用いて端末から通信リンクを確立するリクエスト９１を受信する。当該通信リンクは、電話通信呼や、ボイス・オーバーＩＰ電話（ＶｏＩＰ）呼、データ接続等であってもよい。端末は、電話機、モバイル電話機、固定電話機、ノートブックコンピューター、パーソナルコンピューター（ＰＣ）、スマートフォン、携帯情報端末（ＰＤＡ）、タブレットコンピューター等であってもよい。通信リンクを確立するリクエストを提起する端末を、以下では発呼側端末と称する。当該通信リンクが確立されうる端末を、以下では着呼側端末と称する。
【００２７】
識別子に基づき、交換エンティティ１０は、着呼側端末と関連する交換エンティティ（着呼側交換エンティティ）を決定する。例えば、セルラーネットワークにおいて、交換エンティティ１０は、着呼側交換エンティティの情報を取得するために、ホーム・ロケーション・レジスター（ＨＬＲ）にアクセスすることができる。さらに、交換エンティティ１０は、着呼側交換エンティティに通信リンクを確立するリクエストについて知らせるために、メッセージ９２を着呼側交換エンティティに送信する。
【００２８】
メッセージ９２に応答して、交換エンティティ１０は、通信リンクの確立の処理ステージを示すフィードバック信号９５を受信する。当該フィードバック信号は、例えば、確立の進捗と、着呼側端末が利用可能であり、及び／又は通信リンクを確立する準備ができていることとを発呼側端末へ示すものである。フィードバック信号９５はまた、着呼側端末が呼び出しを行っていることを示す、即ち、着呼側端末が聴覚的な、触覚的な、光学的な、振動的等のシグナルを用いて着信側のユーザーを呼び出していることを示す。
【００２９】
さらに、交換エンティティ１０は、発呼側端末の特性情報９９を取得する。特性情報は、通信リンクの確立前又は確立中に取得されてもよい。交換エンティティ１０は、当該特性情報に基づき、発呼側端末が通信システムの資源を不正使用するものであるかどうかを判断する。例えば、特性情報は、不正使用端末としての発呼側端末を特定する指標を含んでもよい。
【００３０】
取得した特性情報が発呼側端末がネットワークの資源を不正使用することを示す場合、フィードバック信号が発呼側端末に到達することが防がれる。フィードバック信号が発呼側端末に到達することを防ぐことによって、発呼側端末は通信リンク確立の状態に関する情報を取得することができない。
【００３１】
当該防止策は、信号が発呼側端末に中継されないなどの、受信信号をブロックすることを意味する。しかしながら、フィードバック信号が交換エンティティ１０によって生成される場合において、当該防止策は、フィードバック信号を生成しないことであってもよい。これは、当該端末が同じ交換エンティティに関連する他の端末と通信を行うことを試みる場合である（１つの交換エンティティが発呼側交換エンティティ及び着呼側交換エンティティとして動作する）。
【００３２】
追加的に、交換エンティティ１０は、当該端末にフィードバック信号が到達することを防ぐときに、当該端末へ代替信号９６を送信してもよい。代替信号は、ボイスメッセージ信号、サウンド信号、及び雑音信号の少なくとも１つを含む信号であってもよい。そのような信号は、着呼側が呼び出しを行っていることを発呼側に伝達することなく通信リンクが確立されていることを示すものであってもよい。例えば、代替信号９６としてのボイスメッセージ信号は、発呼側に、”呼をセットアップしています”などを通知するものであってもよい。このような場合、発呼側は、着呼側が呼び出しを行っていることを示す呼出音を期待して、当該呼を中断することを躊躇する可能性がある。
【００３３】
図２及び図３を参照して、本発明の一シナリオについて説明する。より詳細には、図２及び図３は、本発明の一実施形態を示すものであり、発呼側端末３１が着呼側端末３２への呼接続（通信リンク）の確立を試みる場合の実施例について説明する。
【００３４】
発呼側端末３１は、呼接続を確立するためのリクエスト９１を、交換エンティティ１０へ送信する。リクエスト９１は、電話番号などの着呼側端末３２の識別子を含んでもよい。例えば、セルラー無線通信において、当該リクエストは、着呼側端末の電話番号（ＭＳＩＳＤＮ：ｍｏｂｉｌｅ  ｓｔａｔｉｏｎ  ｉｎｔｅｇｒａｔｅｄ  ｓｅｒｖｉｃｅｓ  ｄｉｇｉｔａｌ  ｎｅｔｗｏｒｋ  ｎｕｍｂｅｒ）を含む呼制御（ＣＣ）セットアップ・メッセージであってもよい。
【００３５】
その後、交換エンティティ１０は、着呼側端末３２と関連する交換エンティティ１１を特定する。交換エンティティ１０は、着呼側端末３２にサービスを提供する交換エンティティ１１と着呼側端末とを結びつける情報を含む、通信システムにおいてホーム・ロケーション・レジスター（ＨＬＲ）にアクセスすることによって、そのような特定を行ってもよい。
【００３６】
交換エンティティ１０は、発呼側端末３１が着呼側端末３２への呼接続の確立を要求していることを示すメッセージ９２を着呼側交換エンティティ１１に送信する。当該メッセージ９２は、例えば、発呼側端末の電話番号と、着呼側端末の電話番号を含む初期アドレスメッセージである。当該メッセージ９２を受信すると、着呼側交換エンティティ１１は、メッセージ９３を介して、着呼側端末３２にアクセスする。着呼側端末３２は、関連ユーザを呼び出す。当該呼び出しは、聴覚的な、視覚的な、又は触覚的なシグナルを用いて行われてもよい。さらに、着呼側端末３２は、メッセージ９４を介して、着呼側交換エンティティ１１に当該呼び出しについて知らせる。同様に、着呼側交換エンティティ１１は、着呼側端末３２が呼び出しを行っていることを示すメッセージ９５を発呼側エンティティ１０に送信する。例えば、当該メッセージ９５は、ＣＣ呼び出しメッセージ、又はＡＣＭアドレス完了メッセージであってもよい。さらに、着呼側交換エンティティ１１は、可聴の呼び出す音（呼出音、フィードバック信号）を発呼側交換エンティティ１０に送信してもよい。
【００３７】
着呼側端末３２が呼び出しを行っていることを示す指標９５を、交換エンティティ１０が受信すると、交換エンティティ１０は、発呼側端末３１の特性情報９９に基づき、発呼側端末３１が不正使用端末として特定されるかどうかを判断する。それらの特性情報は、ネットワークエンティティ２０によって提供され、発呼側端末３１が通信システムの資源を不正使用することを示すパラメータを含んでもよい。例えば、特性情報は、通信システムのＨＬＲから取り出されてもよく、発呼側端末３へ提供されるべき呼出音が無いことを示す情報がＨＬＲの発呼側端末の加入者情報に含まれてもよい。
【００３８】
特性情報は、呼接続が確立する前に、呼接続の確立中に取得されてもよい。例えば、特性情報は、”挿入加入者データ”のモバイル・アプリケーション・パート（ＭＡＰ）メッセージにおけるロケーション更新中に、ＨＬＲから交換エンティティ１０の訪問者ロケーション・レジスター（ＶＬＲ）へ転送されてもよい。
【００３９】
交換エンティティ１０が不正使用端末として発呼側端末３１を特定する場合、呼出音及びフィードバック信号の少なくとも１つが発呼側端末３１へ到達することを防止する。例えば、交換エンティティ１０は、サーバーアーキテクチャに対するメディアゲートウェイのグループ交換を制御し、当該グループ交換が着呼側交換エンティティ１１によって生成される呼出音が発呼側に到達することを防止するようにしてもよい。従って、交換エンティティ１０は、呼出音をブロックすることになる。
【００４０】
従って、間違い呼（ｍｉｓｓ  ｃａｌｌ）を用いて通信システムを不正使用する端末が特定されるとすぐに、全ての呼に対して、呼出音が当該端末に提供されない。したがって、当該端末が呼接続を行う場合、着呼側端末は呼び出しを行うものの、発呼側端末のユーザーには呼出音が聞こえず、呼が意図した宛先へ到達しているかどうかを確信することができず、着呼側が応答するまで待機してしまう。これは、呼に対しての支払いを発呼者に強いることになる。
【００４１】
着呼側端末３２が発呼側端末３１と同じ交換エンティティ１０によってサービスの提供を受けている場合において、フィードバック信号が発呼側端末３１に到達することを防ぐには、単に呼出音が生成されないようにしてもよい。さらに、交換エンティティ１０は、呼出音又はフィードバック信号が発呼側端末３１に到達することを防ぐ場合に、代替信号９６を発呼側端末３１に送信することができる。
【００４２】
以下では、通信システムの資源を不正使用する端末を特定する処理について説明する。当該処理は、ネットワークエンティティ２０によって実行される。
【００４３】
ネットワークエンティティ２０は、未確立通信リンクの情報を含む複数のレコードを収集する。通信リンクが呼接続であれば、当該複数のレコードは呼データレコード（ＣＤＲ）であってもよい。複数のＣＤＲが、課金目的で生成される。他の情報の中で、ＣＤＲの以下の情報が利用可能である。
−発呼側端末／着呼側端末情報（国際移動電話加入識別番号（ＩＭＳＩ）、ＭＳＩＳＤＮ）；
−呼位置情報、即ち、呼が呼び出し段階に到達したか否かの情報、或いは、呼が着呼側端末が応答する段階に到達したか否かの情報；
−着呼側端末が呼び出した期間；
−端末が呼を切断した情報；
−呼切断の理由。
【００４４】
本発明の一実施形態において、モバイル発信（ＭＯ）ＣＤＲは、発呼側端末と関連するコールレッグ（ｃａｌｌ  ｌｅｇ）に対して発呼側交換センターで生成される。他のＣＤＲと同様に、ＭＯ  ＣＤＲは、全ての呼又は呼び出し段階に到達した呼か若しくは着呼側端末が応答した呼のみに対して生成されうる。いくつかの交換センターにおいて、これは設定可能なオプションである。呼が間違い呼であるかどうかを判定できるためには、交換センターは、全ての呼、又は、呼び出し段階に到達した呼に対してＣＤＲを生成するように構成されるべきであり、即ち、交換センターが応答段階に到達した呼に対してのみＣＤＲを生成するようには構成されない。
【００４５】
ネットワークエンティティ２０は、収集されたレコードごとに、当該レコードが間違い呼（例えば、間違い呼はエリクソンではプロダクト”ＥＮＩＱ”によって特定されうる。）に関連付けれられているかどうかを判断する。当該判断は、様々な基準に基づいてもよい。
【００４６】
例えば、呼アテンプト（ｃａｌｌ  ａｔｔｅｍｐｔ）は、以下の場合に間違い呼として分類される。
−未確立呼接続が呼び出し段階まで到達しており、かつ、呼が通常の理由で切断された場合；
−未確立呼接続が呼び出し段階まで到達しており、かつ、発呼側端末が呼を切断し、かつ、呼が通常の理由で切断された場合；
−未確立呼接続が呼び出し段階まで到達しており、かつ、発呼側端末が呼を切断し、かつ、着呼側端末が所定の値以下の期間呼び出しを行った場合。
【００４７】
ネットワークエンティティ２０は、間違い呼の総数が所定の閾値を超える場合、例えば、間違い呼の総数が１日当たり５回を超える場合には不正使用端末として端末を特定することができる。
【００４８】
ネットワークエンティティ２０はまた、間違い呼の数の比率及び未確立呼接続の総数が所定の閾値を超える場合に、通信システムを不正使用する端末を特定することもできる。一例を以下の表に示す。
【００４９】
【表１】
2015506613.tif 000003
【００５０】
間違い呼が所定のレベル、例えば、５０％を超えて増加する場合、各端末は不正使用端末と特定される。
【００５１】
一般的には、複数の端末のそれぞれに対して、リクエストが提起された後から所定時間内に通信リンクの確立を端末が中断したことを示す未確立通信リンクの情報に基づき、未確立通信リンクの第１の数が決定されてもよい。したがって、第１の数は、それぞれが確立の要求を行ってセットアップした後に短い期間で中断された呼の数を表す。
【００５２】
さらに、再度、複数の端末のそれぞれに対して、リクエストを提起した後に通信リンクの確立を端末が中断した時間に関わらず、未確立通信リンクの総数が決定されてもよい。したがって、当該総数は、全ての未成功の呼リクエスト、即ち、かなりの時間の間呼び出しを行った後でさえ着呼側が応答しなかった呼、システムによって中断された呼（例えば、無線リンクの故障を要因とする）、及び着呼側によって明示的に拒絶された呼を含む。
【００５３】
したがって、不正使用端末は、第１の数及び総数の比率と、所定の閾値とを比較することによって、例えば、上記比率が所定の閾値を超える場合に当該端末が不正使用として特定されうる。
【００５４】
不正使用端末が特定されると、当該端末の特性情報が通信システムに提供される。例えば、これは、ＨＬＲのパラメータを設定することによって行われてもよい。或いは、当該特性情報が交換エンティティ１０に直接送信されてもよい。
【００５５】
ネットワークエンティティ２０は、交換エンティティ１０に設けられるか、或いは、通常、交換エンティティ及びネットワークエンティティの機能が通信システムの処理ユニット、ネットワークノード、１つ以上に分散した処理ユニットを実行するプログラムなどの１つのエンティティの機能として実装されうる。
【００５６】
図４Ａを参照して、上記処理と以下で説明する処理の詳細について説明する。交換エンティティ１０は、処理ユニット１０２、処理ユニット１０２に接続されたメモリユニット１０１、及び処理ユニット１０２に接続された通信ユニット１０３を備える。メモリユニット１０１は、端末の特性情報を格納するように構成される。通信ユニット１０３は、通信システムと通信を行うように構成される。さらに、メモリユニット１０１には、交換エンティティを作動する本実施形態の方法の各ステップを実行するためのコードを含む、処理ユニット１０２にロード可能なコンピュータプログラムが格納される。当該方法は、他の開示の実施形態にも適用されうる。
【００５７】
図４Ｂは、本発明に係るネットワークエンティティ２０の概略を示す。ネットワークエンティティは、処理ユニット２０２と、処理ユニット２０２に接続されたメモリユニット２０１と、処理ユニット２０２に接続された通信ユニット２０３とを備える。通信ユニット２０３は、通信システムと通信を行い、未確立通信リンクの情報を含むレコードを受信するように構成される。メモリユニット２０１は、収集されたレコードに基づき、ネットワークの資源を不正使用する端末を特定するように処理ユニット２０２に指示するコードを備えてもよい。さらに、メモリユニット２０１には、ネットワークエンティティを作動する本実施形態の方法の各ステップを実行するためのコードを含む、処理ユニット２０２にロード可能なコンピュータプログラムが格納される。当該方法は、他の開示の実施形態にも適用される。
【００５８】
図５は、交換エンティティを操作するための方法の一実施形態を示すフローチャートである。当該方法は、上記実施形態と組み合わせて用いられてもよい。当該方法は、以下のステップを含む。ステップＳ１１において、通信システムの通信リンクを確立するリクエストを提起する端末の特性情報を取得する。ステップＳ１２において、通信リンクの確立を開始する。ステップＳ１３において、取得した特性情報に基づき、当該端末にフィードバック信号が到達することを防止する。
【００５９】
図６は、ネットワークエンティティを操作する方法を示すフローチャートである。当該方法は、図４Ｂと組み合わせてネットワークエンティティを操作するために適用されてもよい。当該方法は以下のステップを含む。ステップＳ２１において、通信システムにおける複数の端末のそれぞれに対して、未確立通信リンクの情報を含むレコードを収集する。ステップＳ２２において、収集したレコードに基づき、複数の端末の中から端末を特定する。ステップＳ２３において、特定した端末の特性情報を通信システムに提供する。
【００６０】
本発明の各実施形態は、１つ以上の以下の利益を享受することができる。通信システムのオペレータは、間違い呼を介して通信システムの資源を不正使用する、システムのユーザを特定することができる。さらに、本発明は、間違い呼が応答され、発呼側に課金される可能性を増大させることができる。
【００６１】
種々の実施形態について説明したが、添付の特許請求の範囲によって定義される発明をより理解し易くするためのものであって、本発明を限定する意図はない。
【図１】
2015506613.tif 000004
【図２】
2015506613.tif 000005
【図３】
2015506613.tif 000006
【図４Ａ】
2015506613.tif 000007
【図４Ｂ】
2015506613.tif 000008
【図５】
2015506613.tif 000009
【図６】
2015506613.tif 000010
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
通信システムにおける交換エンティティであって、
前記通信システムにおいて通信リンクを確立するリクエストを提起する端末の特性情報を取得する手段と、
前記取得した特性情報に基づき、前記端末にフィードバック信号が到達することを防いでいる間に、前記通信リンクの確立を開始する手段と
を備えることを特徴とする交換エンティティ。
【請求項２】
前記通信リンクは、前記リクエストを提起した前記端末と、着呼側端末との間の呼接続であることを特徴とする請求項１に記載の交換エンティティ。
【請求項３】
前記フィードバック信号は、着呼側端末が端末のユーザーを呼び出していることを示す信号、及び、前記通信リンクの確立の処理状態を示す信号の少なくとも１つであることを特徴とする請求項２に記載の交換エンティティ。
【請求項４】
前記取得した特性情報は、前記リクエストを提起した後で前記通信リンクが確立される前に、前記端末が前記通信リンクの確立を前もって中断したことを示す情報であることを特徴とする請求項１乃至３の何れか１項に記載の交換エンティティ。
【請求項５】
前記フィードバック信号が前記端末に到達することを防ぐ場合に、前記端末に代替信号を送信する手段をさらに備え、
前記代替信号は、音声メッセージ信号、サウンド信号、及びノイズ信号のいずれか１つを含むことを特徴とする請求項１乃至４の何れか１項に記載の交換エンティティ。
【請求項６】
前記交換エンティティは、セルラー通信ネットワークのモバイル交換センターであることを特徴とする請求項１乃至５の何れか１項に記載の交換エンティティ。
【請求項７】
通信システムにおけるネットワークエンティティであって、
前記通信システムの複数の端末のそれぞれに対して、未確立通信リンクの情報を含む複数のレコードを収集する手段と、
前記収集された複数のレコードに基づき、前記複数の端末の中から端末を特定する手段と、
前記通信システムに対して、前記特定した端末の特性情報を提供する手段と
を備えることを特徴とするネットワークエンティティ。
【請求項８】
前記通信リンクは、前記端末と着呼側端末との間の呼接続であることを特徴とする請求項７に記載のネットワークエンティティ。
【請求項９】
前記端末は、前記収集された複数のレコードに含まれる未確立通信リンクの情報に基づいて特定され、
前記未確立通信リンクの前記情報は、前記通信リンクを確立するリクエストを提起した後で該通信リンクが確立される前に、前記通信リンクの確立を前記端末が中断したことを示す情報であることを特徴とする請求項７又は８に記載のネットワークエンティティ。
【請求項１０】
前記端末は、前記未確立通信リンクの数が所定の閾値を超える場合に、特定されることを特徴とする請求項９に記載のネットワークエンティティ。
【請求項１１】
前記未確立通信リンクの前記情報は、前記リクエストを提起した後から所定の時間内に前記通信リンクの確立を前記端末が中断したことを示す情報であることを特徴とする請求項９又は１０に記載のネットワークエンティティ。
【請求項１２】
前記複数の端末のそれぞれに対して、前記リクエストを提起した後から所定の時間内に前記通信リンクの確立を前記端末が中断したことを示す未確立通信リンクの情報に基づき、前記未確立通信リンクの第１の数を決定する手段と、
前記複数の端末のそれぞれに対して、前記リクエストを提起した後に前記通信リンクの確立を前記端末が中断した時間に関わらず、前記未確立通信リンクの総数を決定する手段と、
前記第１の数及び前記総数の割合が所定の閾値を超える場合に前記端末を特定する手段とをさらに備えることを特徴とする請求項９に記載のネットワークエンティティ。
【請求項１３】
前記通信システムは、セルラーネットワークであることを特徴とする請求項７乃至１２の何れか１項に記載のネットワークエンティティ。
【請求項１４】
請求項１乃至６の何れか１項に記載の交換エンティティと、請求項７乃至１３の何れか１項に記載のネットワークエンティティとを備える通信システム。
【請求項１５】
通信システムにおいて交換エンティティを作動させる方法であって、
通信システムにおいて通信リンクを確立するリクエストを提起する端末の特性情報を取得するステップと、
前記通信リンクの確立を開始するステップと、
前記取得した特性情報に基づき、前記端末にフィードバック信号が到達することを防ぐステップと
を含むことを特徴とする方法。
【請求項１６】
請求項２乃至６の何れか１項に記載の交換エンティティを作動させることを特徴とする請求項１５に記載の方法。
【請求項１７】
請求項１５又は１６に記載の方法の各ステップを実行するためのコードを含み、交換エンティティの処理ユニットにロード可能なコンピュータプログラム。
【請求項１８】
通信システムにおけるネットワークエンティティを作動させる方法であって、
前記通信システムの複数の端末のそれぞれに対して、未確立通信リンクの情報を含む複数のレコードを収集するステップと、
前記収集された複数のレコードに基づき、前記複数の端末の中から端末を特定するステップと、
前記通信システムに対して、前記特定した端末の特性情報を提供するステップと
を含むことを特徴とする方法。
【請求項１９】
請求項８乃至１３の何れか１項に記載のネットワークエンティティを作動させることを特徴とする請求項１８に記載の方法。
【請求項２０】
請求項１８又は１９に記載の方法の各ステップを実行するためのコードを含み、ネットワークエンティティの処理ユニットにロード可能なコンピュータプログラム。
【請求項２１】
請求項１７又は２０に記載のコンピュータプログラムを格納したコンピュータで読取可能な記憶媒体。
【国際調査報告】
2015506613.tif 000011
2015506613.tif 000012
2015506613.tif 000013
2015506613.tif 000014
2015506613.tif 000015